(57)【要約】【課題】孔部に樹脂を充填して硬化させ、この硬化された樹脂によってクサビ部材を形成するといった簡便な手法によって複数の木製部材が一体化されてなるのに加えて、全体として、木製部材同士が堅固に一体化された木材を提供する。【解決手段】第１溝部２２を有する第１木製部材２０と、前記第１溝部２２に対向し、該第１溝部２２とで孔部４０を構成する第２溝部３２を有する第２木製部材３０と、前記孔部４０に充填されて硬化した樹脂により形成されたクサビ部材５０と、前記第１木製部材２０または前記第２木製部材３０の一方に設けられた被係止部２１と、前記第１木製部材２０または前記第２木製部材３０の他方に設けられ、前記被係止部２１を係止して第１木製部材２０及び第２木製部材３０の相互における前記第１溝部２２及び前記第２溝部３２の凹陥方向への分離を規制する係止部３１とを備える。【選択図】図１
2005067056.tif 000002
【特許請求の範囲】
【請求項１】
第１溝部を有する第１木製部材と、
前記第１溝部に対向し、該第１溝部とで孔部を構成する第２溝部を有する第２木製部材と、
前記孔部に充填されて硬化した樹脂により形成されたクサビ部材と、
前記第１木製部材または前記第２木製部材の一方に設けられた被係止部と、
前記第１木製部材または前記第２木製部材の他方に設けられ、前記被係止部を係止して第１木製部材及び第２木製部材の相互における前記第１溝部及び前記第２溝部の凹陥方向への分離を規制する係止部と
を備えることを特徴とする木材。
【請求項２】
前記係止部または前記被係止部の一方は、前記第１溝部及び前記第２溝部の凹陥方向とは異なる方向に突出する凸部を有するものとして構成されており、
前記係止部または前記被係止部の他方は、前記凸部に嵌合する凹部を有するものとして構成されていることを特徴とする請求項１に記載の木材。
【請求項３】
前記第１木製部材及び前記第２木製部材は、夫々長尺状に形成されており、
前記第１溝部、前記第２溝部、前記凸部及び前記凹部は、夫々第１木製部材または第２木製部材に、その長手方向の全長に渡って延設されていることを特徴とする請求項２に記載の木材。
【請求項４】
離間して対向配置された一対の前記第１木製部材と、
各第１木製部材の離間方向と交差する方向に離間して対向配置された前記第２木製部材と
を備えることを特徴とする請求項１から請求項３までのいずれか一つに記載の木材。
【発明の詳細な説明】
【技術分野】
【０００１】
本発明は、ログハウスや木造住宅等の木製建築物、カウンターや間仕切り等の木製屋内設備、遊具や柵等の木製屋外設備、或は木製家具等、各種の木製構造物の構成材として用いられる木材に関するものである。
【背景技術】
【０００２】
従来、木製構造物の構成材として用いられる木材として、複数の木製部材を一体化して形成されたものがある。このような木材は、例えば、小径の間伐材、製材により生じた端材等、小寸の複数の木製部材を用いることで全体として大寸の木材とすることができ、木材資源を有効活用できるものである。そして、このような木材では、接着剤による接着やボルトによる締結等の種々の手法によって複数の木製部材が一体化されているが、中には、図５（ａ）及び（ｂ）に示すように、クサビ部材１２０を用いて複数の木製部材１１０が一体化された木材１００もある。具体的に、この木材１００では、端面に溝部１１１が凹設された木製部材１１０同士が、その各溝部１１１が対向するように衝合されており、上記各溝部１１１によりに構成された孔部１１２に充填されて硬化した樹脂によってクサビ部材１２０が形成されており、このクサビ部材１２０によって、木製部材１１０同士が各溝部１１１の幅方向に分離しないように固定されている。
【０００３】
上記従来技術は、一般的な事項であり、本出願人は、本願出願時において、この従来技術を特定する文献を特に知見していない。
【発明の開示】
【発明が解決しようとする課題】
【０００４】
しかしながら、上記木材は、孔部に樹脂を充填して硬化させ、この硬化された樹脂によってクサビ部材を形成するといった簡便な手法によって複数の木製部材が一体化されてなるものではあるが、クサビ部材の構造上、孔部を構成する溝部の凹陥方向に木製部材同士が分離し易いものであり、全体として、木製部材同士が堅固に一体化されたものではなかった。
【０００５】
本発明は、上記実情を鑑みてなされたものであり、孔部に樹脂を充填して硬化させ、この硬化された樹脂によってクサビ部材を形成するといった簡便な手法によって複数の木製部材が一体化されてなるのに加えて、全体として、木製部材同士が堅固に一体化された木材の提供を課題とする。
【課題を解決するための手段】
【０００６】
上記課題を解決するための主要な手段は、
「第１溝部を有する第１木製部材と、
前記第１溝部に対向し、該第１溝部とで孔部を構成する第２溝部を有する第２木製部材と、
前記孔部に充填されて硬化した樹脂により形成されたクサビ部材と、
前記第１木製部材または前記第２木製部材の一方に設けられた被係止部と、
前記第１木製部材または前記第２木製部材の他方に設けられ、前記被係止部を係止して第１木製部材及び第２木製部材の相互における前記第１溝部及び前記第２溝部の凹陥方向への分離を規制する係止部と
を備えることを特徴とする木材」
である。
【０００７】
ここで、係止部及び被係止部の形態としては、特に限定するものでなく、相互に係止し合って、第１溝部及び第２溝部の凹陥方向に分離しないように、第１木製部材と第２木製部材とを互いに固定できる形態であればよい。このような係止部及び被係止部としては、互いに嵌合するように、一方が凸状に形成され、他方が凹状に形成されたもの、互いに噛合するように、双方が凹凸状やセレーション状に形成されたもの、一方が他方を挟持するように、一方に挟持片が設けられたもの、一方が他方を引掛けるように、一方に引掛け片が設けられたもの等を例示することができる。
【０００８】
また、クサビ部材を形成する樹脂としては、第１溝部と第２溝部とによって構成された孔部に充填可能であり、充填後はクサビ部材としての強度を十分に確保できるように硬化されるものであればよく、例えば、充填前は、ゾル状又はゲル状等の良好な流動体であり、充填後に、冷却、酸化、吸湿等により硬化して剛体となるものであればよい。具体的には、ポリエチレン樹脂、塩化ビニル樹脂、ポリアミド樹脂等の熱可塑性樹脂、フェノール樹脂、エポキシ樹脂、ウレタン樹脂等の熱硬化性樹脂、２種或は３種以上の材料の混合により硬化樹脂となる混合硬化樹脂等を例示することができる。
【０００９】
なお、クサビ部材を形成する樹脂について、１００℃以上の高温処理を必要とするものを用いると、クサビ部材の形成に際して、木質材料である第１木製部材や第２木製部材に変質や変形を来す虞がある。よって、樹脂としては、１００℃未満にて処理できるものを採用することが好適である。この点から、クサビ部材を形成する樹脂としては、１００℃未満にて単独では良好な流動体であり、混合により硬化が促進される混合硬化樹脂を採用するのが好ましく、具体的には、イソシアネート基を含有する化合物と、水酸基を含有する化合物との混合によりウレタン結合する２液混合タイプの樹脂、より具体的には、イソシアネート基を含有する化合物として、トリレンジイソシアネート、ジフェニルメタンジイソシアネート、ヘキサメチレンジイソシアネート等、水酸基を含有する化合物として、ポリエーテルポリオール、ポリエステルポリオール、ポリカーボネートポリオール、ポリカプロラクトンポリオール等のポリオール類を例示することができる。また、水酸基を含有する化合物の代わりに、カルボキシル基を含有する化合物、アミノ基を含有する化合物を用いてもよい。
【００１０】
上述のように構成された木材では、第１溝部及び第２溝部により構成された孔部に樹脂を充填して硬化させ、これによってクサビ部材を形成して第１木製部材と第２木製部材との一体化を実現できるため、簡便な手法によって製造することができる。また、クサビ部材によって、第１木製部材と第２木製部材とを、第１溝部及び第２溝部の幅方向に堅固に固定することができる。
【００１１】
一方、クサビ部材によってのみでは、第１木製部材と第２木製部材とが、第１溝部及び第２溝部の凹陥方向に分離し易く、全体としては、第１木製部材と第２木製部材とを堅固に一体化できない。これに対して、上記構成の木材では、第１木製部材または第２木製部材の一方の係止部と他方の被係止部との互いの係止によって、第１木製部材と第２木製部材とが、第１溝部及び第２溝部の凹陥方向に容易には分離しない。すなわち、第１木製部材と第２木製部材とは、第１溝部及び第２溝部の幅方向ばかりでなく、凹陥方向にも堅固に固定されることになる。よって、木材全体としては、第１木製部材と第２木製部材とが堅固に一体化されたものとなる。
【００１２】
上述の手段において、
「前記係止部または前記被係止部の一方は、前記第１溝部及び前記第２溝部の凹陥方向とは異なる方向に突出する凸部を有するものとして構成されており、
前記係止部または前記被係止部の他方は、前記凸部に嵌合する凹部を有するものとして構成されていることを特徴とする木材」
としてもよい。
【００１３】
上記構成は、係止部及び被係止部の形態を具体的に限定したものであり、凸部と凹部との嵌合により、第１木製部材と第２木製部材とは、第１溝部及び前記第２溝部の凹陥方向とは異なる方向に分離することなく、適確に固定される。
【００１４】
ところで、第１木製部材と第２木製部材とは、一方の凸部と他方の凹部とを嵌合させるために、凸部の突出方向及び凹部の凹陥方向に相互に組み付けられることになる。ここで、上記構成の木材では、その製造に際して、第１木製部材と第２木製部材とを相互に組み付けた上で、孔部に樹脂を充填してクサビ部材を形成し、このクサビ部材によって、第１木製部材と第２木製部材とを、組み付け方向と反対方向である取り外し方向に互いに分離しないように固定するのであるが、孔部に樹脂を充填する際には、樹脂の充填圧力が孔部の内壁面に付加されるため、第１木製部材及び第２木製部材に取り外し方向の応力が加わり、第１木製部材に対して第２木製部材が不用意に外れてしまう虞がある。
【００１５】
そこで、上述した構成において、凸部及び凹部を、夫々、第１溝部及び第２溝部の凹陥方向と略直交する方向に突出または凹陥するものとするのが好適である。何故ならば、このような態様では、第１溝部及び第２溝部の凹陥方向が、第１木製部材と第２木製部材との相互の取り外し方向に略直交することになり、孔部に樹脂を充填する際に、孔部の内壁面に充填圧力が付加されても、第１木製部材及び第２木製部材に、取り外し方向の応力が加わり難くなるからである。
【００１６】
上述の手段において、
「前記第１木製部材及び前記第２木製部材は、夫々長尺状に形成されており、
前記第１溝部、前記第２溝部、前記凸部及び前記凹部は、夫々第１木製部材または第２木製部材に、その長手方向の全長に渡って延設されていることを特徴とする木材」
としてもよい。
【００１７】
上記構成では、第１溝部及び第２溝部が、夫々、第１木製部材または第２木製部材の長手方向の全長に渡って延設されているため、これら第１溝部及び第２溝部により構成された孔部内のクサビ部材によって、第１木製部材と第２木製部材とが、全長に渡って堅固に固定される。また、凸部及び凹部が、夫々、第１木製部材または第２木製部材の長手方向の全長に渡って延設されているため、これら凸部と凹部との嵌合により、第１木製部材と第２木製部材とが、全長に渡って堅固に固定される。よって、第１木製部材と第２木製部材とが、より一層、堅固に一体化された木材となる。
【００１８】
また、第１溝部、第２溝部、凸部及び凹部は、夫々、第１木製部材または第２木製部材の長手方向の全長に渡って延設されているため、その形成に際しては、第１木製部材または第２木製部材の長手方向に沿って切削加工等の成形加工を行えばよく、これら第１溝部、第２溝部、凸部及び凹部を容易に形成することができる。しかも、長尺状の材木から所望の断面形状の第１木製部材及び第２木製部材を得るために、材木を長手方向に成形加工するに際して、同時に、第１溝部、第２溝部、凸部及び凹部を形成することも可能であり、この点からも、第１溝部、第２溝部、凸部及び凹部を容易に形成することができる。
【００１９】
上述の手段において、
「離間して対向配置された一対の前記第１木製部材と、
各第１木製部材の離間方向と交差する方向に離間して対向配置された前記第２木製部材と
を備えることを特徴とする木材」
としてもよい。
【００２０】
上記構成の木材では、一対の第１木製部材の裏面と一対の第２木製部材の裏面とによって、中空部分が形成されることになり、内部に貫通状の中空部を備える木材となる。このような木材では、同寸の中空部を備えない木材と比べて重量を軽減することができる。また、中空部の分だけ、断面の寸法が大きくなることから、小寸の第１木製部材及び第２木製部材から、より大寸の木材を形成することができる。
【００２１】
なお、ログハウスの構成材、木造住宅の軸組み、建築物の内装材等の建材として用いられる木材であれば、中空部によって、建材として有効な断熱効果、遮音効果を向上させることができる。また、内部の中空部の分だけ、空気に触れる面積が広がることから、建材として有効な吸湿性や加湿性を向上させることができる。しかも、内部の中空部分を、電線や電話線等の配線領域、水道管やガス管等の配管領域として使用することも可能となる。
【発明の効果】
【００２２】
上述の通り、本発明によれば、孔部に樹脂を充填して硬化させ、この硬化された樹脂によってクサビ部材を形成するといった簡便な手法によって複数の木製部材が一体化されてなるのに加えて、全体として、木製部材同士が堅固に一体化された木材を提供することができる。
【発明を実施するための最良の形態】
【００２３】
本発明に係る木材の実施形態を、以下に、図面に基づいて詳細に説明する。
【００２４】
図１に、本発明に係る木材１０の一例を示す。この木材１０は、原木から製材された材木を成形加工して所望の断面形状に形成された０．５〜５ｍ程度、より具体的には１〜３ｍ程度の複数の木製部材を相互に組み付けて、全体として単一の木材１０とされたものであり、木製構造物の柱材、壁面材、梁材、桁材等の長尺状の構成材として好適に用いられるものである。また、この木材１０は、４つの木製部材、具体的には、一対の第１木材部材２０及び一対の第２木製部材３０を相互に組み付けて、全体として角柱状に形成されたものである。なお、本発明に係る木材１０は、長尺状のものに限らず、短尺状のものであってもよく、また、角柱状のものに限らず、円柱状等の柱状のものであってもよく、さらに、柱状のものに限らず、板状やブロック状のものであってもよい。
【００２５】
一対の第１木製部材２０は、夫々、断面形状が略方形状に形成されており、互いに離間して対向配置されている。また、一対の第２木製部材３０は、夫々、断面形状が略方形状に形成されており、第１木製部材２０の離間方向に交差する方向、具体的には略直交する方向に互いに離間して対向配置されている。これにより、本例の木材１０では、各第１木製部材２０の裏面と各第２木製部材３０の裏面とにより、木材１０の全長に渡って貫通する略方形の中空部６０が形成されている。
【００２６】
なお、第２木製部材３０は、第１木製部材２０の側端面（図示では、上下の端面）と面一となるように、一対の第１木製部材２０の間に埋設状に組み付けられている。よって、第１木製部材２０の表面側には、第２木製部材３０との接合線が露呈せず、建築物の表側に露呈する面に第１木製部材２０が配設されるように使用することで、この木材１０を、建材としての外装材や内装材として好適に用いることができる。
【００２７】
ところで、第１木製部材２０と第２木製部材３０とは、相互に組み付けられて一体化されているのであるが、第１木製部材２０と第２木製部材３０との間に介在されたクサビ部材５０、及び、第１木製部材２０に設けられた被係止部２１と、第２木製部材３０に設けられた係止部３１との係止により、互いに分離しないように堅固に固定されている。次に、この第１木製部材２０と第２木製部材３０との固定について、詳細に説明する。
【００２８】
第１木製部材２０の裏面の両側部分には、第１木製部材２０の厚さ方向に凹陥し、長手方向の全長に渡って延設された第１溝部２２が凹設されている。一方、第２木製部材３０の両側面には、第１木製部材２０の第１溝部２２と対向するように、第２木製部材３０の幅方向に凹陥し、長手方向の全長に渡って延設された第２溝部３２が凹設されている。そして、上記第１溝部２２と上記第２溝部３２とで、木材１０の全長に渡って貫通する略方形状の孔部４０が構成されている。
【００２９】
この孔部４０には、第１木製部材２０と第２木製部材３０とを組み付けた状態にて充填されて硬化した樹脂によってクサビ部材５０が形成されており、第１木製部材２０と第２木製部材３０とは、このクサビ部材５０によって、第１溝部２２及び第２溝部３２の幅方向に、相互に分離せず、固定されている。
【００３０】
また、この木材１０では、第１木製部材２０に被係止部２１が設けられ、第２木製部材３０に係止部３１が設けられている。そして、第１木製部材２０と第２木製部材３０とは、上述のクサビ部材５０による固定に加えて、上記被係止部２１と上記係止部３１との係止によって、第１溝部２２及び第２溝部３２の凹陥方向に相互の分離が規制されて固定されている。詳しくは、以下の通りである。
【００３１】
第１木製部材２０の裏面の中央部分は略凸状となっており、この略凸状部分の側面には、第１木製部材２０の幅方向であり、第１溝部２２の凹陥方向とは略直交する方向に凹陥する凹部２１ｂ、及び、第１木製部材２０の幅方向であり、第１溝部２２の凹陥方向とは略直交する方向に突出する凸部２１ａが、夫々、第１木製部材２０の長手方向全長に渡って延設されている。そして、これら凹部２１ｂ及び凸部２１ａにより被係止部２１が構成されている。一方、第２木製部材３０の裏面の両側部分には、第２木製部材３０の厚さ方向であり、第２溝部３２の凹陥方向とは略直交する方向に凹陥し、第１木製部材２０の凸部２１ａと嵌合する凹部３１ｂ、及び、第２木製部材３０の厚さ方向であり、第２溝部３２の凹陥方向とは略直交する方向に突出し、第１木製部材２０の凹部２１ｂと嵌合する凸部３１ａが、夫々、第２木製部材３０の長手方向全長に渡って延設されている。そして、これら凹部３１ｂ及び凸部３１ａにより、第１木製部材２０の被係止部２１を係止する係止部３１が構成されている。このように、第１木製部材２０と第２木製部材３０とには、夫々互いに嵌合する凹部２１ｂ，３１ｂ及び凸部２１ａ，３１ａが設けられており、これら凹部２１ｂ，３１ｂ及び凸部２１ａ，３１ａの相互の嵌合により、第１木製部材２０及び第２木製部材３０は、相互に、凹部２１ｂ，３１ｂの凹陥方向や凸部２１ａ，３１ａの突出方向とは異なる方向に分離せず、ガタツキも少なく、良好に固定されている。
【００３２】
なお、本例のように、第１木製部材２０の被係止部２１を、凹部２１ｂ及び凸部２１ａの双方を有するものとして構成し、第２木製部材３０の係止部３１を、凸部３１ａ及び凹部３１ｂの双方を有するものとして構成するに限らず、被係止部２１または係止部３１の一方を、凹部２１ｂ、３１ｂを少なくとも有するものとして構成し、他方を、この凹部２１ｂ、３１ｂに嵌合する凸部２１ａ，３１ａを少なくとも有するものとして構成してもよく、或は、被係止部２１及び係止部３１を、凹凸嵌合ではなく、引掛けや挟持等の他の手法により係止を実現できる形態のものとしてもよい。また、係止部３１及び被係止部２１は、相互に係止し合うものであればよく、第１木製部材２０側を係止部、第２木製部材３０側を被係止部としてもよい。
【００３３】
次に、上述した木材１０の形成方法について、図２に基いて説明する。まず、一つの第２木製部材３０（図２における下側の第２木製部材３０）の裏面側に、二つの第１木製部材２０を、第２木製部材３０の両側部分の係止部３１に被係止部２１が係止されるように組み付ける。すると、各第１木製部材２０は、互いに離間して対向配置された状態となる。次いで、第１木製部材２０の被係止部２１を係止部３１が係止するように、離間して対向配置された一対の第１木製部材２０間に別の第２木製部材３０（図２における上側の第２木製部材３０）を組み付ける。すると、第１木製部材２０に対して先に組み付けられた第２木製部材３０と、後に組み付けられた第２木製部材３０とは、互いに離間して対向配置された状態となる。
【００３４】
そして、このような状態では、各第１木製部材２０と各第２木製部材３０との裏面にて、中空部６０が形成される。また、この状態では、各第１木製部材２０及び各第２木製部材３０が、相互に、組み付け方向とは逆の取り外し方向には分離可能ではあるが、組み付け方向と略直交する方向、すなわち第１溝部２２及び第２溝部３２の凹陥方向には分離不能な状態となる。さらに、この状態では、第１木製部材２０の第１溝部２２と第２木製部材３０の第２溝部３２とが互いに対向し、第１溝部２２と第２溝部３２とで孔部４０が構成される。
【００３５】
次に、一対の第１木製部材２０と一対の第２木製部材３０とを組み付けた状態にしたままで、孔部４０に樹脂を充填して硬化させる。すると、硬化した樹脂によりクサビ部材５０が形成され、このクサビ部材５０によって、各第１木製部材２０及び各第２木製部材３０が、相互に、取り外し方向にも分離不能な状態となり、各第１木製部材２０及び各第２木製部材３０が相互に堅固に固定され、全体で堅固に一体化された木材１０となる。
【００３６】
ここで、クサビ部材５０を形成するための樹脂材料としては、孔部４０への充填後に硬化するものであればよいが、本例では、２種類の材料の混合により硬化樹脂となる混合硬化樹脂を採用している。具体的には、イソシアネート基を含有する化合物と、水酸基を含有する化合物との混合によりウレタン結合する２液混合タイプの樹脂材料を採用している。また、充填の際には、樹脂材料を７０〜８０℃にて加熱して、流動性を高めると共に硬化速度を促進させている。また、孔部４０に充填する際の充填圧力を１０〜２０ＭＰａ程度に設定して、樹脂材料を高圧力で孔部４０に充填しており、孔部４０の形状が複雑なものであっても、また、孔部４０の長さが長くても、孔部４０全域に良好に樹脂材料が充填できるようにしている。なお、上述の樹脂材料を採用すると、樹脂材料が木質材料に浸透し、この樹脂材料が硬化してなるクサビ部材５０は、接着剤としても機能する。よって、第１木製部材２０と各第２木製部材３０とを、より一層、堅固に固定することができる。
【００３７】
また、樹脂材料を充填する際には、第１木製部材２０及び第２木製部材３０を、夫々表面側からクランプしている。具体的には、図２に示すように、第２木製部材２０に対しては、各第２木製部材２０の表面中央部分にクランプ力を付与しており（図２の矢印Ｐ１）、樹脂材料の充填の際に、第１木製部材２０に対して第２木製部材３０が不用意に外れないようにしてある。ここで、本例では、第１木製部材２０及び第２木製部材３０の相互の組み付け方向が第１溝部２２及び第２溝部３２の凹陥方向に略直交するため、樹脂材料の充填圧力が孔部４０に加わっても、第１木製部材２０と第２木製部材３０とに、取り外し方向の応力が加わり難く、第１木製部材２０に対して第２木製部材３０が外れ難くなっているのに加えて、上述のようなクランプ力によって第２木製部材３０の組み付け状態が良好に維持されるため、第１木製部材２０に対する第２木製部材３０の不用意な外れが、より確実に防止されている。
【００３８】
また、第１木製部材２０に対しては、各第１木製部材２０の表面中央部分にクランプ力を付与しており（図２の矢印Ｐ２）、樹脂材料の充填の際に、孔部４０から第１木製部材２０と第２木製部材３０との接合面に樹脂材料が滲み出し難くなっている。しかも、不用意な外れを防止するための第２木製部材３０に対するクランプ力（Ｐ１）よりも、第１木製部材２０に対するクランプ力（Ｐ２）を大きく設定してあり、より一層、樹脂材料が滲み出し難くなっている。なお、第１木製部材２０に対するクランプについては、孔部４０に対応する部位にクランプ力が付与されるようにすると（図２の矢印Ｐ３）、孔部４０の周辺において、第１木製部材２０と第２木製部材３０とを良好に密着させることができ、樹脂の滲み出しを、より一層確実に防止することができる。
【００３９】
以上、本発明に係る木材１０の最良の実施形態としての一例を説明したが、本発明に係る木材１０は、これに限らず、本発明の要旨を逸脱しない範囲で、その構成が適宜変更されたものであってもよい。
【００４０】
例えば、図３に示すように、一対の第１木製部材２０として、夫々、形状が異なるものを採用したり、一対の第２木製部材３０として、夫々、形状が異なるものを採用してもよい。
【００４１】
具体的に、この木材１０では、一方の第１木製部材２０（図３の左側の第１木製部材２０）として、表面が平面状に形成されたものを用いているの対して、他方の第１木製部材２０（図３の右側の第１木製部材２０）として、表面が略円柱状に形成されたものを用いている。また、一方の第２木製部材３０（図３の上側の第２木製部材３０）として、表面が平面状に形成されたものを用いているの対して、他方の第２木製部材３０（図３の下側の第２木製部材３０）として、表面に、木製構造物の他の構成材等を連結するための例えばホゾ穴やアリ溝等の連結部７０が設けられたものを用いている。
【００４２】
また、本発明に係る木材１０は、一対の第１木製部材２０と一対の第２木製部材３０との４つの木製部材を一体化してなるものに限らず、他の木製部材を含めて、５つ以上の木製部材を一体化してなるものであってもよく、また、２つ或は３つの木製部材を一体化してなるものであってもよい。
【００４３】
例えば、図４に、単一の第１木製部材２０と単一の第２木製部材３０とを組み付けて一体化してなる木材１０を示す。この木材１０では、第１木製部材２０が略凹形状に形成され、第２木製部材３０が略凸形状に形成されている。そして、第１木製部材２０の凹み部分により被係止部２１が構成されており、第２木製部材３０の突出部分によって、上記被係止部２１を係止する（より具体的には嵌合する）係止部３１が構成されている。また、第１木製部材２０の凹み部分の側面には、凹み部分の凹陥方向と略直交する方向に凹陥する第１溝部２２が凹設されており、第２木製部材３０の突出部分の側面には、突出部分の突出方向と略直交する方向に凹陥し、上記第１溝部２２とで孔部４０を構成する第２溝部３２が凹設されている。そして、第１溝部２２と第２溝部３２とで構成された孔部４０には、充填されて硬化した樹脂によりクサビ部材５０が形成されている。このような木材１０でも、クサビ部材５０のみによってはなし得ない第１木製部材２０及び第２木製部材３０の相互の第１溝部２２及び第２溝部３２の凹陥方向への堅固な固定が、被係止部２１と係止部３１との係止によって良好に実現されている。また、被係止部２１と係止部３１との係止によってのみではなし得ない第１木製部材２０及び第２木製部材３０の相互の取り外し方向への堅固な固定が、クサビ部材５０によって良好に実現されている。すなわち、この木材１０でも、第１木製部材２０と第２木製部材３０とが堅固に一体化されている。
【図面の簡単な説明】
【００４４】
【図１】本発明に係る木材の一例を示す断面正面図である。
【図２】図１に示した木材を形成する状態を示す断面正面図である。
【図３】本発明に係る木材の別例を示す断面正面図である。
【図４】本発明に係る木材の別例を示す断面正面図である。
【図５】従来の木材を示す図面であり、（ａ）は部分斜視図、（ｂ）は（ａ）のＡ部拡大図である。
【符号の説明】
【００４５】
１０    木材
２０    第１木製部材
２１    被係止部
２１ａ  凸部
２１ｂ  凹部
２２    第１溝部
３０    第２木製部材
３１    係止部
３１ａ  凸部
３１ｂ  凹部
３２    第２溝部
４０    孔部
５０    クサビ部材
６０    中空部
７０    連結部
【図１】
2005067056.tif 000003
【図２】
2005067056.tif 000004
【図３】
2005067056.tif 000005
【図４】
2005067056.tif 000006
【図５】
2005067056.tif 000007